(57)【要約】【課題】防水性の低下を抑制することができるゴム栓固定構造を提供する。【解決手段】電線３の外周に密着して組付けられるゴム栓５と、電線３が挿通されゴム栓５の外周が内周に密着して組付けられる孔部７とを備えたゴム栓固定構造１において、孔部７に、内部側から外部側に向けて拡径するように傾斜された傾斜部９を設け、ゴム栓５が、孔部７の内周に密着して配置されるリップ部１１と、このリップ部１１の外径より大径に形成され傾斜部９の内周に密着して配置される大リップ部１３とを有し、大リップ部１３を、傾斜部９の外部側の端面１５より内部側に配置した。【選択図】図４
2015204260.tif 000002
【特許請求の範囲】
【請求項１】
電線の外周に密着して組付けられるゴム栓と、前記電線が挿通され前記ゴム栓の外周が内周に密着して組付けられる孔部とを備えたゴム栓固定構造であって、
前記孔部には、内部側から外部側に向けて拡径するように傾斜された傾斜部が設けられ、
前記ゴム栓は、前記孔部の内周に密着して配置されるリップ部と、このリップ部の外径より大径に形成され前記傾斜部の内周に密着して配置される大リップ部とを有し、
前記大リップ部は、前記傾斜部の外部側の端面より内部側に配置されていることを特徴とするゴム栓固定構造。
【請求項２】
請求項１記載のゴム栓固定構造であって、
前記傾斜部の内部側の隅部は、面取りされていることを特徴とするゴム栓固定構造。
【発明の詳細な説明】
【技術分野】
【０００１】
本発明は、ゴム栓固定構造に関する。詳細には、孔部とこの孔部を挿通する電線との間に密着して配置されるゴム栓のゴム栓固定構造に関する。
【背景技術】
【０００２】
従来、ゴム栓固定構造としては、電線の外周に密着して組付けられるゴム栓と、電線が挿通されゴム栓の外周が内周に密着して組付けられる孔部としてのキャビティとを備えたものが知られている（例えば、特許文献１参照）。
【０００３】
このゴム栓固定構造では、ゴム栓が、キャビティの内部側に組付けられる前方シール部と、この前方シール部の後方に設けられキャビティの外部側に組付けられる後方シール部とを有しており、前方シール部では外周リップと内周リップとが同位置に設けられ、後方シール部では外周リップと内周リップとが前後方向にずれた位置に設けられている。
【０００４】
このように後方シール部で外周リップと内周リップとを前後方向にずれた位置に設けることにより、外周リップがキャビティの内周から受ける力を内周リップに伝えることがなく、内周リップが電線の外周から受ける力を外周リップにも伝えることがないので、ゴム栓のキャビティ内への挿入力の増大を抑制することができる。
【先行技術文献】
【特許文献】
【０００５】
【特許文献１】特開２０１３−１５２８０３号公報
【発明の概要】
【発明が解決しようとする課題】
【０００６】
ところで、上記特許文献１のようなゴム栓固定構造では、孔部の内径が同一の径に設定されており、この孔部の内周にゴム栓の外周が密着して配置され、ゴム栓の端部が孔部の端面から外部に露出している。
【０００７】
このような同一の径を有する孔部内には、電線の屈曲によってゴム栓の変形を許容する許容空間が、上記特許文献１のような外周リップによって形成される僅かな空間しかなく、この僅かな空間も外周リップを孔部の内周に密着させたときの変形によってほぼ無くなるような状態となる。
【０００８】
このため、同一の径を有する孔部では、電線の屈曲によってゴム栓が変形すると、ゴム栓の外周と孔部の内周との間にゴム栓の変形を許容する空間がないので、ゴム栓が孔部内で電線の長さ方向に沿って変形するようになる。
【０００９】
一方、上記特許文献１のようなゴム栓固定構造では、ゴム栓の端部が孔部の端面から外部に露出しているので、電線の屈曲によってゴム栓の外周面と孔部の縁部とが干渉し、ゴム栓に亀裂が生じる恐れがある。
【００１０】
このようにゴム栓に亀裂が生じてしまうと、上記特許文献１のような同一の径を有する孔部で構成されたゴム栓固定構造では、電線の屈曲によってゴム栓が孔部内で電線の長さ方向に沿って変形するので、ゴム栓に生じた亀裂が促進されてしまい、防水性が低下してしまう恐れがあった。
【００１１】
そこで、この発明は、防水性の低下を抑制することができるゴム栓固定構造の提供を目的としている。
【課題を解決するための手段】
【００１２】
請求項１記載の発明は、電線の外周に密着して組付けられるゴム栓と、前記電線が挿通され前記ゴム栓の外周が内周に密着して組付けられる孔部とを備えたゴム栓固定構造であって、前記孔部には、内部側から外部側に向けて拡径するように傾斜された傾斜部が設けられ、前記ゴム栓は、前記孔部の内周に密着して配置されるリップ部と、このリップ部の外径より大径に形成され前記傾斜部の内周に密着して配置される大リップ部とを有し、前記大リップ部は、前記傾斜部の外部側の端面より内部側に配置されていることを特徴とする。
【００１３】
このゴム栓固定構造では、ゴム栓に設けられた大リップ部が、孔部に設けられた傾斜部の内周に密着して配置されるので、大リップ部以外のゴム栓の外周と傾斜部の内周との間に電線の屈曲によるゴム栓の変形を許容する空間を設けることができる。
【００１４】
このため、電線が屈曲したときには、ゴム栓の変形がゴム栓の外周と傾斜部の内周との間の空間によって許容され、孔部内でゴム栓が電線の長さ方向に沿って変形することを抑制できる。
【００１５】
また、大リップ部は、傾斜部の外部側の端面より内部側に配置されているので、電線が屈曲しても、大リップ部と傾斜部の端面側の隅部とが干渉することがなく、大リップ部における亀裂の発生を防止することができる。
【００１６】
従って、このようなゴム栓固定構造では、傾斜部と大リップ部とによってゴム栓の変形を許容する空間を形成させることができ、ゴム栓と孔部の縁部との干渉によるゴム栓の亀裂の発生を防止できるので、防水性の低下を抑制することができる。
【００１７】
請求項２記載の発明は、請求項１記載のゴム栓固定構造であって、前記傾斜部の内部側の隅部は、面取りされていることを特徴とする。
【００１８】
このゴム栓固定構造では、傾斜部の内部側の隅部が、面取りされているので、傾斜部の内部側の隅部とこの隅部に位置するゴム栓の外周との干渉を緩和でき、ゴム栓の傾斜部の内部側の隅部に位置する部分での亀裂の発生を抑制することができる。
【発明の効果】
【００１９】
本発明によれば、防水性の低下を抑制することができるゴム栓固定構造を提供することができるという効果を奏する。
【図面の簡単な説明】
【００２０】
【図１】本発明の実施の形態に係るゴム栓固定構造の電線とゴム栓と端子とを組付けたときの斜視図である。
【図２】本発明の実施の形態に係るゴム栓固定構造の孔部が設けられたハウジングの斜視図である。
【図３】本発明の実施の形態に係るゴム栓固定構造のゴム栓の斜視図である。
【図４】本発明の実施の形態に係るゴム栓固定構造の断面図である。
【発明を実施するための形態】
【００２１】
図１〜図４を用いて本発明の実施の形態に係るゴム栓固定構造について説明する。
【００２２】
本実施の形態に係るゴム栓固定構造１は、電線３の外周に密着して組付けられるゴム栓５と、電線３が挿通されゴム栓５の外周が内周に密着して組付けられる孔部７とを備えている。
【００２３】
そして、孔部７には、内部側から外部側に向けて拡径するように傾斜された傾斜部９が設けられ、ゴム栓５は、孔部７の内周に密着して配置されるリップ部１１と、このリップ部１１の外径より大径に形成され傾斜部９の内周に密着して配置される大リップ部１３とを有し、大リップ部１３は、傾斜部９の外部側の端面１５より内部側に配置されている。
【００２４】
また、傾斜部９の内部側の隅部１７は、面取りされている。
【００２５】
図１〜図４に示すように、ゴム栓固定構造１は、電線３と、端子１９と、ハウジング２１と、孔部７を有する端子収容室２３と、ゴム栓５などを備えている。
【００２６】
電線３は、導電性材料からなる導体の外周を絶縁性材料からなる絶縁被覆で覆われた被覆電線からなり、電源や機器などに電気的に接続される。この電線３の端末部は、絶縁被覆が所定の長さ剥がされ、露出する導体に端子１９が電気的に接続される。
【００２７】
端子１９は、導電性材料からなり、一端側に電線３の導体を加締めて圧着される圧着部が設けられ、他端側に内部に接点部を有する箱状に形成された接続部が設けられた雌型端子となっている。なお、端子１９の圧着部には、ゴム栓５を加締めるためのゴム栓固定部が設けられている。
【００２８】
この端子１９は、圧着部を電線３の端末部の導体に圧着した後、ハウジング２１の端子収容室２３内に挿入され、端子収容室２３内に撓み可能に設けられた係止ランス（不図示）が係合されることにより、ハウジング２１からの抜け止めがなされる。
【００２９】
ハウジング２１は、合成樹脂などの絶縁性材料からなり、筐体状に形成され、端子１９の接続部に接続されるタブ状の接続部を有する雄型端子からなる相手端子（不図示）を収容する相手ハウジング（不図示）と嵌合可能となっている。
【００３０】
このハウジング２１の内部には、複数の端子収容室２３が形成され、各端子収容室２３内に端子１９を収容した状態で、相手ハウジングと嵌合することにより、端子１９と相手端子とが電気的に接続される。
【００３１】
端子収容室２３は、ハウジング２１の幅方向に複数列配置されると共に、ハウジング２１の高さ方向に２段配置されている。この端子収容室２３には、電線３が外部に引き出される引出部としての孔部７側の開口から端子１９が挿入され、端子１９の接続部が孔部７の反対側に設けられた開口（不図示）と一致するように収容される。この端子収容室２３の孔部７には、傾斜部９が設けられている。
【００３２】
傾斜部９は、孔部７の内部側から外部側（端子１９側から電線３側）に向けて孔部７の内径を拡大するように傾斜する傾斜面を有する。また、傾斜部９の内部側（端子１９側）の隅部１７（傾斜部９と孔部７との境界部）は、Ｒ加工などによって面取りされている。
【００３３】
このように傾斜部９の内部側の隅部１７を面取りすることにより、ゴム栓５の外周面に対して隅部１７がエッジ状に接触することがなく、ゴム栓５の外周面に亀裂が発生することを抑制することができる。
【００３４】
このような傾斜部９を有する端子収容室２３の孔部７の内周面には、電線３の外周面に密着して組付けられたゴム栓５の外周面が密着して配置され、ハウジング２１の内部が防水される。
【００３５】
ゴム栓５は、電線３の端末部に端子１９が接続される前の状態で、内周面が電線３の外周面に密着して組付けられ、外周に複数のリップ部１１と、大リップ部１３とが設けられている。なお、複数のリップ部１１より端子１９側には、端子１９のゴム栓固定部に加締められて固定される固定部２５が設けられている。
【００３６】
複数のリップ部１１は、ゴム栓５の固定部２５と大リップ部１３との間に電線３の長さ方向に所定の間隔をもって、ゴム栓５の周方向に連続する突条となるように電線３の長さ方向に複数列（ここでは２列）設けられている。
【００３７】
この複数のリップ部１１は、外径が端子収容室２３の孔部７の内径より僅かに大きく設定されており、端子１９を端子収容室２３に配置させる際に、孔部７に挿入され、端子１９を端子収容室２３に保持させると、外周面が孔部７の内周面に密着して配置される。
【００３８】
大リップ部１３は、複数のリップ部１１より電線３側に設けられ、ゴム栓５の周方向に連続する突条となるように電線３の長さ方向に１列設けられている。この大リップ部１３の外径は、複数のリップ部１１の外径より大きく設定されていると共に、傾斜部９の外部側の端面１５に設けられた開口の内径より小さく設定されている。
【００３９】
このような大リップ部１３は、端子１９を端子収容室２３に配置させる際に、孔部７の傾斜部９に挿入され、端子１９を端子収容室２３に保持させると、外周面が傾斜部９の内周面に密着して配置される。
【００４０】
このとき、大リップ部１３の外径は、傾斜部９の端面１５側の開口の内径より小さく設定されているので、大リップ部１３が傾斜部９の外部側（電線３側）の端面１５より内部側（端子１９側）に配置される。
【００４１】
このため、ゴム栓５の複数のリップ部１１と大リップ部１３との間の外周面と傾斜部９の内周面との間及びゴム栓５の大リップ部１３の端面１５側の外周面と傾斜部９の内周面との間に空間Ｃ，Ｃを形成させることができる。
【００４２】
この空間Ｃ，Ｃは、電線３の屈曲によって変形するゴム栓５の変形部の逃げ部となり、ゴム栓５の変形を許容させる許容空間となる。この空間Ｃ，Ｃにより、ゴム栓５は、電線３の屈曲によって図４の矢印で示すＸ，Ｙ方向に変形され、電線３の長さ方向に変形することが抑制される。
【００４３】
このため、例えば、ゴム栓５の長期の使用により、ゴム栓５の外周面に僅かな亀裂が生じたとしても、空間Ｃ，Ｃによって電線３の屈曲によるゴム栓５の電線３の長さ方向への変形が抑制されているので、電線３の屈曲によって亀裂が拡大することを抑制することができ、ゴム栓５の耐久性を向上し、防水性を保持することができる。
【００４４】
一方、大リップ部１３は、傾斜部９の外部側の端面１５より内部側に配置されているので、電線３の屈曲に伴いゴム栓５がＸ，Ｙ方向に変形しても、大リップ部１３の外周面が傾斜部９の端面１５側の開口の縁部に接触することがない。
【００４５】
すなわち、ゴム栓５は、電線３の屈曲によって変形したとしても、傾斜部９の端面１５側の開口の縁部と干渉することがなく、開口の縁部との干渉によって亀裂が生じることがない。
【００４６】
このようなゴム栓固定構造１では、ゴム栓５に設けられた大リップ部１３が、孔部７に設けられた傾斜部９の内周に密着して配置されるので、大リップ部１３以外のゴム栓５の外周と傾斜部９の内周との間に電線３の屈曲によるゴム栓５の変形を許容する空間Ｃ，Ｃを設けることができる。
【００４７】
このため、電線３が屈曲したときには、ゴム栓５の変形がゴム栓５の外周と傾斜部９の内周との間の空間Ｃ，Ｃによって許容され、孔部７内でゴム栓５が電線３の長さ方向に沿って変形することを抑制できる。
【００４８】
また、大リップ部１３は、傾斜部９の外部側の端面１５より内部側に配置されているので、電線３が屈曲しても、大リップ部１３と傾斜部９の端面１５側の隅部とが干渉することがなく、大リップ部１３における亀裂の発生を防止することができる。
【００４９】
従って、このようなゴム栓固定構造１では、傾斜部９と大リップ部１３とによってゴム栓５の変形を許容する空間Ｃ，Ｃを形成させることができ、ゴム栓と孔部の縁部との干渉によるゴム栓の亀裂の発生を防止できるので、防水性の低下を抑制することができる。
【００５０】
また、傾斜部９の内部側の隅部１７は、面取りされているので、傾斜部９の内部側の隅部１７とこの隅部１７に位置するゴム栓５の外周との干渉を緩和でき、ゴム栓５の傾斜部９の内部側の隅部１７に位置する部分での亀裂の発生を抑制することができる。
【００５１】
なお、本発明の実施の形態に係るゴム栓固定構造では、孔部がハウジングの端子収容室を構成する電線の引出部となっているが、これに限らず、例えば、孔部が筐体部材の壁部に設けられている場合など、孔部とこの孔部を挿通する電線との間にゴム栓が密着して配置される構成であれば、本発明の構成を適用することができる。
【００５２】
また、大リップ部は、電線の長さ方向に１列設けられているが、これに限らず、例えば、リップ部と大リップ部との間にリップ部の外径より大きく、大リップ部の外径より小さい大リップ部を設けるなど、大リップ部を複数設けてもよい。加えて、リップ部も２列に限らず、２列以上、或いは２列以下であってもよい。
【符号の説明】
【００５３】
１…ゴム栓固定構造
３…電線
５…ゴム栓
７…孔部
９…傾斜部
１１…リップ部
１３…大リップ部
１５…端面
１７…隅部
【図１】
2015204260.tif 000003
【図２】
2015204260.tif 000004
【図３】
2015204260.tif 000005
【図４】
2015204260.tif 000006